(57)【要約】【課題】化粧シートが外面に貼付された建具用額縁において、建具用額縁の一部を切断することにより寸法を調整することができるとともに、化粧シートごと美しく切断される建具用額縁を提供すること。【解決手段】建物１００の開口１０１に設けられた建具１０のドア枠２に取り付けられ、開口縁１０２とドア枠２との隙間Ｓを覆う建具用額縁１であって、建具用額縁１の長手方向に延びて互いに間隔を空けて形成された複数の溝５１を外面に有する額縁本体６と、額縁本体６の外面に貼り付けられた化粧シート７と、を備える建具用額縁１である。【選択図】図４
2016033283.tif 000002
【特許請求の範囲】
【請求項１】
建物の開口に設けられた建具の枠に取り付けられ、前記開口の縁と前記枠との隙間を覆う建具用額縁であって、
前記建具用額縁の長手方向に延びて互いに間隔を空けて形成された複数の溝を外面に有する額縁本体と、
前記額縁本体の外面に貼り付けられた化粧シートと、を備える建具用額縁。
【請求項２】
前記額縁本体は、前記枠に沿って延びる平板状の平板部を有し、
前記複数の溝は、前記平板部に形成される請求項１に記載の建具用額縁。
【請求項３】
建物の開口に設けられた既設枠と、該既設枠の内周面を覆うように設けられた新設枠と、を備える改装建具であって、
前記新設枠に、請求項１又は２に記載の建具用額縁が取り付けられる改装建具。
【請求項４】
請求項１又は２に記載の建具用額縁の施工方法であって、
前記複数の溝のうち一の溝に沿って前記化粧シート側から前記額縁本体を切断することで、見込み方向の長さを調整する長さ調整工程と、
前記長さ調整工程で切断された額縁本体を、前記枠に取り付ける取り付け工程と、を有する建具用額縁の施工方法。
【発明の詳細な説明】
【技術分野】
【０００１】
本発明は、建具用額縁、改装建具及び建具用額縁の施工方法に関する。具体的には、建具の枠に取り付けられる建具用の額縁、この額縁が設けられた改装建具、及び建具用額縁の施工方法に関する。
【背景技術】
【０００２】
従来、建物の開口にドア等の建具を取り付ける際には、建具の枠が建物の開口の開口縁に取り付けられ、枠の内側に扉が配置される。また、枠の周囲には、枠から建物の開口縁に亘って配置される建具用額縁が取り付けられる。建具用額縁の表面側には、意匠性を高めるため、木目等の様々な模様を印刷した化粧シートが表面に貼付されることが知られている。
【０００３】
ところで、建物の開口縁や枠の寸法、形状や、開口縁と枠との距離等は様々である。また、例えばリフォームを行う場合に、既存の枠を外さずに新設の枠を取り付ける場合があり、建具用額縁を設置可能な開口や枠の寸法が予め定まっている場合がある。
【０００４】
そこで、特許文献１では、建具を設置する建物の開口廻りの寸法に合わせて建具用額縁の一部を切断し、寸法を調整可能な建具用額縁が提案されている。
【０００５】
特許文献１の建具用額縁は、切断を容易にする細かな段差を有し、段差の裏面側にプラスチックカッター等で切断するための溝が形成されている。
【先行技術文献】
【特許文献】
【０００６】
【特許文献１】特開２００４−２０４４９６号公報
【発明の概要】
【発明が解決しようとする課題】
【０００７】
プラスチックカッターで建具用額縁を切断する場合、建具用額縁の厚み及び硬さによって、プラスチックカッターの歯が、歯を当てた面と反対の面まで貫通しないことが多い。このため、通常、建具用額縁は、プラスチックカッターの歯を溝に当てて数回切込みを入れてから、作業者が切断面から折るように力をかけることで切断される。
【０００８】
しかしながら、裏面側に切断用の溝を形成した建具用額縁において、表面側に化粧シートを貼付すると、作業者が建具用額縁の切断面に力をかけて折るようにした際に、化粧シートが溝に沿って直線的に切断されない箇所が生じるという問題があった。また、建具用額縁の切断面に力をかけて折るようにすると、化粧シートの一部が、建具用額縁の表面から剥がれることがある。このため、建具用額縁の表面の一部に化粧シートが剥がれた部分が残り、美観を損なうという問題があった。
【０００９】
本発明は、化粧シートが外面に貼付された建具用額縁において、建具用額縁の一部を切断することにより寸法を調整することができるとともに、化粧シートごと美しく切断される建具用額縁を提供することを目的とする。
【課題を解決するための手段】
【００１０】
上記目的を達成するため本発明は、建物（例えば、後述の建物１００）の開口（例えば、後述の開口１０１）に設けられた建具（例えば、後述の建具１０）の枠（例えば、後述のドア枠２）に取り付けられ、前記開口の縁（例えば、後述の開口縁１０２）と前記枠との隙間（例えば、後述の隙間Ｓ）を覆う建具用額縁（例えば、後述の建具用額縁１）であって、前記建具用額縁の長手方向に延びて互いに間隔を空けて形成された複数の溝（例えば、後述の溝６５）を外面に有する額縁本体（例えば、後述の額縁本体６）と、前記額縁本体の外面に貼り付けられた化粧シート（例えば、後述の化粧シート７）と、を備える建具用額縁を提供する。
【００１１】
前記額縁本体は、前記枠に沿って延びる平板状の平板部（例えば、後述の平板部６２）を有し、前記複数の溝は、前記平板部に形成されることが好ましい。
【００１２】
建物の開口に設けられた既設枠（例えば、後述の既設ドア枠３）と、該既設枠の内周面を覆うように設けられた新設枠（例えば、後述のドア枠２）と、を備える改装建具（例えば、後述の改装建具１０）であって、前記新設枠に、前記建具用額縁が取り付けられる改装建具であることが好ましい。
【００１３】
前記建具用額縁の施工方法であって、前記複数の溝のうち一の溝に沿って前記化粧シート側から前記額縁本体を切断することで、見込み方向の長さを調整する長さ調整工程と、前記長さ調整工程で切断された額縁本体を、前記枠に取り付ける取り付け工程と、を有する建具用額縁の施工方法であることが好ましい。
【発明の効果】
【００１４】
本発明によれば、化粧シートが外面に貼付された建具用額縁において、建具用額縁の一部を切断することにより寸法を調整することができるとともに、化粧シートごと美しく切断される建具用額縁を提供することができる。
【図面の簡単な説明】
【００１５】
【図１】本実施形態に係る建具を屋外側から視た図である。
【図２】本実施形態に係る建具が建物の開口に納められた状態の縦断面図である。
【図３】本実施形態係る建具が建物の開口に納められた状態の横断面図である。
【図４】本実施形態の建具用額縁の斜視図を示す図である。
【発明を実施するための形態】
【００１６】
以下、本発明の実施形態について、図面を参照しながら詳しく説明する。なお、本明細書において、「見付方向」とは、建物に形成された開口部に納められた建具におけるドア本体の幅方向（すなわち、左右方向）を意味し、「見込み方向」とは、上記ドア本体の奥行き方向を意味する。
【００１７】
図１は、本実施形態に係る建具１０を屋外側から視た図である。本実施形態における建具１０は、建物１００に既に取り付けられていた建具１０を構成する既設の部材のうち、脱着が可能な部分を交換するとともに、建物１００に固定されている既設の部材を建物１００に取り付けたままで、新たな部材を新設して形成するリフォーム用の改装建具１０である。
図１に示すように、建具１０は、玄関ドア等のドアであり、建物１００に形成された開口１０１に納められる。建具１０は、枠としてのドア枠２と、ドア本体４と、建具用額縁１と、を備える。
【００１８】
ドア本体４は、長方形の板材により構成され、開口１０１を塞ぐように取り付けられる。ドア本体４は、丁番４１を介して屋外側（図中手前側）で開閉可能に吊り込まれる。そして、ドア本体４の戸先側には、シリンダー錠４２及びハンドル４３が取り付けられている。
【００１９】
ドア枠２及び建具用額縁１は、建物１００の開口１０１における開口縁１０２に沿って、ドア本体４の周囲に配置されている。ドア枠２及び建具用額縁１については、後に詳述する。
【００２０】
図２は、本実施形態に係る建具１０が建物１００の開口１０１に納められた状態の縦断面図で、図３は、本実施形態に係る建具１０が建物１００の開口１０１に納められた状態の横断面図である。なお、以下において左右とは、屋外側から視た場合の左右を意味する。つまり、図３において、見付方向で、吊元側が右側、戸先側が左側である。
【００２１】
図２及び３に示すように、開口１０１は、梁部材１１１と、左右の柱部材１１２と、屋内側の床材１１３と、により四周を区画されている。
梁部材１１１及び左右の柱部材１１２の内面側には、室内側額縁材１１４が配置されている。室内側額縁材１１４は、梁部材１１１に対してはスペーサ１１５を介して固定され、右方の柱部材１１２に対しては直接固定される。
【００２２】
梁部材１１１と左右の柱部材１１２の少なくとも屋内側には、断熱材１１９が配置される。断熱材１１９と梁部材１１１及び左右の柱部材１１２との間には、それぞれスペーサ１１５が配置される。
梁部材１１１及び左右の柱部材１１２の屋外側には、外装パネル１１８が配置されている。この外装パネル１１８の端縁により、開口１０１の縁としての開口縁１０２が区画されている。
【００２３】
床材１１３は、化粧材１１６及びモルタル１１７により構成されている。化粧材１１６は、建具１０の屋内側及び屋内側ともに、モルタル１１７の上面側に水平に配置されている。屋内側の床材１１３と屋外側の床材１１３との間には、段差１３０が形成されている。
【００２４】
図２に示すように、段差１３０は、既設の化粧材１１６が建具１０の正面を向くようにモルタル１１７の上に配置されて構成されている。また、段差１３０では、化粧材１１６の上に、かいもの１３１を介して巾木１３２が配置され、巾木１３２が建具１０の正面を向いている。
【００２５】
図２及び図３に示すように、新設枠としてのドア枠２が、既設枠としての既設ドア枠３の幅方向の内側且つ屋外側に取り付けられる。図２及び図３において、既設ドア枠３は、破線で示されている。
【００２６】
既設ドア枠３は、開口１０１の内側に配置され、長方形の枠状に形成される。既設ドア枠３は、既設上枠３１と、既設下枠３２と、左右の既設縦枠３３、３４と、により構成される。
【００２７】
図２に示すように、既設上枠３１は、断面方形（ホロー構造）に形成され、梁部材１１１の下方にスペーサ１１５を介して固定されている。
既設下枠３２は、平板状の部材が屈曲して形成されている。既設下枠３２は、既設上枠３１に対向する位置で、モルタル１１７の上面に直接固定され、一部がモルタル１１７に埋め込まれている。
【００２８】
図３に示すように、左右の既設縦枠３３、３４は、断面方形の部分３３１、３４１と、屈曲部３３２、３４２と、を有する。
断面方形の部分３３１、３４１は、横断面視で方形に構成され、室内側額縁材１１４の屋外側に当接している。
屈曲部３３２、３４２は、断面方形の部分３３１、３４１から延びて横断面視でＬ字状に屈曲する。屈曲部３３２、３４２は、内側面部３３２ａ、３４２ａと、正面部３３２ｂ、３４２ｂと、を有する。内側面部３３２ａ、３４２ａは、柱部材１１２の開口１０１における内側面側に沿って配置され、固定される。正面部３３２ｂ、３４２ｂは、内側面部３３２ａ、３４２ａから屈曲して柱部材１１２における建具１０の正面側の面に当接する。
なお、既設縦枠３３、３４の正面部３３２ｂ、３４２ｂは、後述する既設の建具用額縁３０に接している。
【００２９】
ドア枠２は、開口１０１の内側に配置され、長方形の枠状に形成される。ドア枠２は、既設ドア枠３の内周面を覆って既設ドア枠３に部分的に重なる。ドア枠２は、既設ドア枠３の屋外側に突出するように配置される。ドア枠２は、上枠２１と、下枠２２と、左右の縦枠２３、２４と、内額縁２５と、を有する。
【００３０】
図２に示すように、上枠２１は、断面方形（ホロー構造）に形成され、その下面がドア本体４の上面に対向している。上枠２１は、既設上枠３１にスペーサ１１５を介してねじで固定されている。上枠２１は、下方に延びる上枠パッキン取り付け部２１ａを有し、ドア本体４を傷つけないように受け止めるシールパッキン９１が上枠パッキン取り付け部２１ａに取り付けられている。
【００３１】
下枠２２は、上枠２１に対向して配置され、平板状の部分２２１と、立ち上がり部２２２と、支持部２２３と、を有する。
平板状の部分２２１は、平坦な面を有し、水平方向に延びてドア本体４の下面に対向する。
立ち上がり部２２２は、平板状の部分２２１から上方に向かって起立する部分である。立ち上がり部２２２は、屋外側の面に下枠パッキン取り付け部２２ａを有し、上枠２１の場合と同様に、シールパッキン９１が下枠パッキン取り付け部２２ａに取り付けられている。
支持部２２３は、平板状の部分２２１及び立ち上がり部２２２と別体に形成されている。支持部２２３は、断面略Ｌ字状の形状を有する。支持部２２３は、平板状の部分２２１の下方に配置されている。支持部２２３は、Ｌ字の短辺が平板状の部分２２１の裏側に対向してボルトで固定され、Ｌ字の長辺が段差１３０における化粧材１１６にボルトで固定されている。
【００３２】
図３に示すように、左右の縦枠２３、２４は、左右の既設縦枠３３、３４の内側面部３３２ａ、３４２ａに、スペーサ１１５を介して固定されている。左右の縦枠２３、２４は、それぞれドア本体４の内側に向かって延びる縦枠パッキン取り付け部２３ａ、２４ａを有し、上枠２１及び下枠２２の場合と同様に、シールパッキン９１が縦枠パッキン取り付け部２３ａ、２４ａに取り付けられている。
【００３３】
内額縁２５は、図２及び３に示すように、ドア枠２の内側の面から室内側に向かって延びるように設けられている。内額縁２５は、既設ドア枠３の室内側の一部と、室内側額縁材１１４の一部とを覆うように配置される。
内額縁２５は、内額縁内側面２５１と、室内側側面部２５２と、を有する。内額縁内側面２５１は、屋外側から室内側に向かって水平方向に延びる平板状の面である。室内側側面部２５２は、内額縁内側面２５１から垂直方向に屈曲する平板状の面である。内額縁２５は、ボルトにより室内側額縁材１１４に固定されている。
【００３４】
図２及び図３に示すように、本実施形態の開口縁１０２には、既設の建具用額縁３０が設けられている。既設の建具用額縁３０は、建具１０の正面から見て正面側で、既設ドア枠３の幅方向外側に、既設ドア枠３に沿って配置されている。新設のドア枠２が既設ドア枠３よりも建物１００の正面側に突出するように配置されているので、開口縁１０２と、ドア枠２との間には、隙間Ｓが形成されている。
【００３５】
図４は、建具用額縁１の斜視図である。
図４に示すように、建具用額縁１は、断面視で略コの字状の形状を有し、開口縁１０２に沿って取り付けられる直線的な縦長の部材である。上述の通り、開口縁１０２には、既存の建具用額縁３０が取り付けられている。本実施形態における新設の建具用額縁１は、既存の建具用額縁３０及び既設ドア枠３を覆うとともに、開口縁１０２と新設のドア枠２との間の隙間Ｓを覆うように配置されている。
建具用額縁１は、額縁本体６と、化粧シート７と、を有する。
【００３６】
額縁本体６は、断面視で略コの字状の形状を有し、ドア枠２に沿って取り付け可能な縦長の部材である。額縁本体６は、正面部６０と、取り付け部６１と、平板部６２と、を有する。額縁本体６の正面部６０、取り付け部６１及び平板部６２は、一枚の板が屈曲して一体に形成されている。額縁本体６は、アルミ材により形成されている。
【００３７】
正面部６０は、ドア枠２側から開口縁１０２側に向かう緩やかな傾斜を有し、見付け方向に延びる。正面部６０は、建具１０を屋外側から見た際、正面を向く面である。正面部６０の内側面には、正面部溝６４が形成されている。正面部溝６４は、正面部６４の長手方向に沿って延び、短手方向に間隔を空けて複数形成される。
【００３８】
取り付け部６１は、建具用額縁１を開口縁１０２と新設のドア枠２とに亘って配置した際に、ドア枠２側に取り付けられる部分である。取り付け部６１は、建具用額縁１を建具１０に取り付けた際に、建具１０の内側に位置する側面を構成する。取り付け部６１は、正面部６０の幅方向の端部から、正面部６０の面に交差する方向（見込み方向）へ延びる。取り付け部６１における正面部６０と接続されていない側の端部には、断面視略コ字状の突出部６３が形成されている。取り付け部６１は、突出部６３をドア枠２にボルトで締結することにより、ドア枠２に固定される。
【００３９】
平板部６２は、額縁本体６の取り付け部６１に対向する位置に配置される。平板部６２は、建具用額縁１を建具１０に取り付けた際に、建具１０の外側に位置する側面を構成する。平板部６２は、正面部６０側から建具１０の見込み方向を覆うように延びる。平板部６２は、開口縁１０２に沿って配置される縦長の部材である。平板部６２は、長手方向が開口縁１０２の各辺に沿うように配置される。
平板部６２は、建具用額縁１の外側となる面に形成される複数の溝６５を有する。平板部６２は、溝６５の形成されていない内側の面は、平坦に形成されている。
【００４０】
溝６５は、建具用額縁１の長手方向に延び、平板部６２の外側の面から断面視でＶ字状に切り欠かれて形成されている。溝６５は、平板部６２の長手方向に沿うとともに、短手方向に間隔を空けて複数形成されている。溝６５は、正面部６０の内側に形成されている溝６４よりも多い本数が短い間隔で並んで形成されている。溝６５は、平板部６２の強度を確保する観点から、平板部６２の外側面に細幅で浅く形成されている。溝６５は、建具用額縁１を取り付ける開口１０１廻りの寸法に合わせて、プラスチックカッター等により平板部６２を切断可能な深さに形成される。
【００４１】
化粧シート７は、額縁本体６の外側面に貼付される。化粧シート７は、木目や石等を模した模様を印刷したシートである。化粧シート７は、平板部６２では、溝６５を覆った状態で配置され、溝６５と溝６５の間の面に接着剤等を介して接着される。化粧シート７は、溝６５が細く浅いため、溝６５の内部までは入り込まず、断面視では平板部６２の外側面に平坦に配置されている。
【００４２】
以上の建具用額縁１の使用方法について説明する。
図３において、説明の便宜のために平板部６２の切断前の長さが破線で示されている。まず、建具用額縁１を、既存の建具用額縁３０及び既設ドア枠３を覆うとともに、ドア枠２から開口縁１０２までの間に形成される隙間Ｓを覆うようにドア枠２及び開口縁１０２に当ててみる。開口縁１０２の形成される外装パネル１１８の位置は、新設の建具用額縁１を配置する個々の建物１００によって様々である。そこで、建具用額縁１の見込み方向に延びる平板部６２において、建具用額縁１を設置するのにちょうどよい位置を確認する。
【００４３】
平板部６２の外側面には、溝６５が形成されているとともに、溝６５を覆うように化粧シート７が配置されている。ちょうどよい位置にある溝６５に位置を決めて、プラスチックカッターの歯を溝に当てると、化粧シート７が溝６５に沿って直線的に切断される。さらにプラスチックカッターに力をかけることで、溝６５に沿って平板部６２が切断される。溝６５に沿って平板部６２を切断することで、建具用額縁１の見込み方向の長さを調整する。
【００４４】
なお、正面部６０の内側に形成されている溝６４は、建具用額縁１を取り付ける開口廻りの構造によって、正面部６０を切断することで寸法を調整することが必要な場合に用いられる。
【００４５】
平板部６２の見込み方向の長さを調整した後、建具用額縁１を、ドア枠２に取り付ける。具体的には、額縁本体６における取り付け部６１の突出部６３を、ドア枠２に対してボルトにより固定し、平板部６２の遠位端と外装パネル１１８との間をシーリング材９２で封止する。
【００４６】
以上の構成を備える第１実施形態に係る建具用額縁１は、以下のような効果を奏する。
本実施形態では、建具用額縁１を、建物１００の開口１０１に設けられた建具１０のドア枠２に取り付け、開口縁１０２とドア枠２との隙間Ｓを覆うように構成した。また、建具用額縁１に、建具用額縁１の長手方向に延びて互いに間隔を空けて形成された複数の溝５１を外面に有する額縁本体６と、額縁本体６の外面に貼り付けられた化粧シート７と、を含んで構成した。
【００４７】
本実施形態によれば、複数の溝５１のうち一の溝５１を選んで切断することで、建具用額縁１の見込み方向の長さを調整することができる。このとき、建具用額縁１の外側面から切断作業ができるので、プラスチックカッター等で切断作業を容易に行うことができる。また、化粧シート７が額縁本体６の外側面に形成されているので、切断作業の際に確実に化粧シート７ごと建具用額縁１を切断することができる。よって、化粧シート７が切断面で剥がれたり破れたりすることがなく、建具用額縁１の表面側に破れた部分が露出することもない。したがって、化粧シート７を確実に切断することができ、建具用額縁１の美観が向上する。
【００４８】
また、本実施形態では、額縁本体６を、ドア枠２に沿って延びる平板状の平板部６２を含んで構成し、複数の溝５１を平板部６２に形成した。これにより、溝５１を切断する際に、平板部６２を平坦な面に載置して切断することができるため、切断作業がさらに容易になる。
【００４９】
また、本実施形態では、建物１００の開口１０１に設けられた既設ドア枠３と、既設ドア枠３の内周面を覆うように設けられた新設のドア枠２と、を備える改装建具１０において、ドア枠２に、本実施形態における建具用額縁１を取り付けた。建具用額縁１は、額縁本体６の外側に化粧シート７を配置したものであるため、建具用額縁１を切断する際、化粧シート７に直接プラスチックカッターの刃を当てることができる。このため、化粧シート７の切断面の外観が向上する。このような建具用額縁１を改装建具１０に用いることで、リフォーム現場で見栄えのよい改装建具１０を施工することができる。
【００５０】
なお、本発明は上記実施形態に限定されるものではなく、本発明の目的を達成できる範囲での変形、改良等は本発明に含まれる。
例えば、上記実施形態では、額縁本体６は取り付け部６１、正面部６０及び平板部６２が一体に形成されているが、取り付け部６１及び正面部６０と、平板部６２とを、着脱可能に構成してもよい。
【符号の説明】
【００５１】
１    建具用額縁
２    ドア枠（枠、新設枠）
３    既設ドア枠（既設枠）
６    額縁本体
７    化粧シート
１０    建具、改装建具
５１    溝
６２    平板部
１００  建物
１０１  開口
１０２  開口縁（縁）
Ｓ      隙間
【図１】
2016033283.tif 000003
【図２】
2016033283.tif 000004
【図３】
2016033283.tif 000005
【図４】
2016033283.tif 000006